(57)【要約】【課題】ジョブが分割された場合、複数の読取画像データのファイルに同じファイル名が付与されるのを防止できる画像読取装置を提供する。【解決手段】ファクシミリ装置１は、複数のネットワーク端末で共有される。ファクシミリ装置１は原稿読取に基づいて読取画像データを生成する読取部４０、ＡＤＦ４１等を備え、読取画像データのジョブ分割を指定するページ分割キー、シート分割キー、新規文書指定キーを備える。又、ファクシミリ装置１のＭＰＵ１０は、ジョブ分割の指定に応じて分割されたジョブのファイルを作成するとともに、前記ファイルに対して識別符号を付与する。【選択図】        図１
2005295389.tif 000002
【特許請求の範囲】
【請求項１】
一連の読取動作により生成された複数の読取画像データを２以上のジョブに分割するジョブ分割手段と、
ジョブ分割により発生したジョブ毎に、異なるファイル名を作成する手段を備えたことを特徴とする画像読取装置。
【請求項２】
前記ジョブ分割手段は、一連の読取動作開始前に行われたジョブ分割指定に基づいて、所定ページ毎にジョブ分割を行う手段であることを特徴とする請求項１に記載の画像読取装置。
【請求項３】
前記ジョブ分割手段は、一連の読取動作中に行われたジョブ分割指定に基づいて、ジョブ分割指定されたタイミングに応じたページでジョブ分割を行う手段であることを特徴とする請求項１に記載の画像読取装置。
【請求項４】
前記ファイル名を作成する手段は、ファイル名が入力されている場合、該ファイル名に対してジョブ毎に異なる識別符号を付与することにより異なるファイル名を作成することを特徴とする請求項１乃至請求項３のうちいずれか１項に記載の画像読取装置。
【請求項５】
前記ファイル名を作成する手段は、
一連の読取動作中にジョブ分割の指定がなされた場合、その指定タイミングに応じたページでジョブ分割が行われたジョブに対し、指定前のジョブに対して作成されたファイル名と共通部分を有し、且つ、一部が異なるようにファイル名を作成することを特徴とする請求項３に記載の画像読取装置。
【請求項６】
前記ファイル名を作成する手段は、
ファイル名が入力されている場合、入力されているファイル名の少なくとも一部を共通部分とし、その共通部分に対してジョブ毎に識別符号を付与し、
ファイル名が入力されていない場合、予め設定されたルールに従って共通部分を作成し、その共通部分に対してジョブ毎に異なる識別符号を付与することを特徴とする請求項４に記載の画像読取装置。
【請求項７】
前記ファイル名を作成する手段は、前記ルールに従った共通部分の作成を日時情報に基づいて行うことを特徴とする請求項６に記載の画像読取装置。
【請求項８】
前記識別符号は、通し番号であることを特徴とする請求項４又は請求項６に記載の画像読取装置。
【発明の詳細な説明】
【技術分野】
【０００１】
本発明は、複写機、ファクシミリ及びスキャナーや、それらの複合機に設けられる画像読取装置に関する。
【背景技術】
【０００２】
従来から、画像データを入力する手段として用いられているスキャナ装置は、例えばネットワークに接続し、複数のネットワーク端末で共有できるようにされている。従来、ネットワークスキャンする場合、ネットワークに接続されたスキャナ装置では、自動原稿搬送装置（以下、「ＡＤＦ」という）に原稿を複数枚セットして、スキャンすると１つのジョブとしてファイル名が付けられて登録される。すなわち、スキャンする前に、ジョブに付与するファイル名の指定ができるようにされており、指定されたファイル名により１つのジョブが登録されるようにされている。又、前記スキャナ装置では、ページ単位で、ジョブの登録を分割する機能も搭載されている。
【０００３】
なお、特許文献１の請求項８や、「段落００８８」、「段落００８９」では、電子メールをページ単位で分割する場合には、添付ファイルのファイル名に先頭ページの番号情報を付与するようにした技術が開示されている。
【特許文献１】特開２００２−３２４０３５号公報
【発明の開示】
【発明が解決しようとする課題】
【０００４】
ところが、従来は、ジョブが、複数に分割された場合、例えば、ページ単位で分割された場合、複数のジョブが同じファイル名になり区別がつかない問題があった。なお、前記特許文献１では、電子メールにおいて、添付ファイルに先頭ページの番号情報を付与する構成であって、ジョブに関するものではなく、依然としてジョブ分割の場合の上記問題を解決できるものではない。
【０００５】
本発明の目的は、ジョブが分割された場合、分割されたジョブ毎に異なるファイル名が作成されることにより、同じファイル名が付与されるのを防止できる画像読取装置を提供することにある。
【課題を解決するための手段】
【０００６】
上記問題点を解決するために、請求項１に記載の発明は、一連の読取動作により生成された複数の読取画像データを２以上のジョブに分割するジョブ分割手段と、ジョブ分割により発生したジョブ毎に、異なるファイル名を作成する手段を備えたことを特徴とする画像読取装置を要旨とするものである。
【０００７】
請求項２の発明は、請求項１において、前記ジョブ分割手段は、一連の読取動作開始前に行われたジョブ分割指定に基づいて、所定ページ毎にジョブ分割を行う手段であることを特徴とする。
【０００８】
請求項３の発明は、請求項１において、前記ジョブ分割手段は、一連の読取動作中に行われたジョブ分割指定に基づいて、ジョブ分割指定されたタイミングに応じたページでジョブ分割を行う手段であることを特徴とする。
【０００９】
請求項４の発明は、請求項１乃至請求項３のうちいずれか１項において、前記ファイル名を作成する手段は、ファイル名が入力されている場合、該ファイル名に対してジョブ毎に異なる識別符号を付与することにより異なるファイル名を作成することを特徴とする。
【００１０】
請求項５の発明は、請求項３において、前記ファイル名を作成する手段は、一連の読取動作中にジョブ分割の指定がなされた場合、その指定タイミングに応じたページでジョブ分割が行われたジョブに対し、指定前のジョブに対して作成されたファイル名と共通部分を有し、且つ、一部が異なるようにファイル名を作成することを特徴とする。
【００１１】
請求項６の発明は、請求項４において、前記ファイル名を作成する手段は、ファイル名が入力されている場合、入力されているファイル名の少なくとも一部を共通部分とし、その共通部分に対してジョブ毎に識別符号を付与し、ファイル名が入力されていない場合、予め設定されたルールに従って共通部分を作成し、その共通部分に対してジョブ毎に異なる識別符号を付与することを特徴とする。
【００１２】
請求項７の発明は、請求項６において、前記ファイル名を作成する手段は、前記ルールに従った共通部分の作成を日時情報に基づいて行うことを特徴とする。
請求項８の発明は、請求項４又は請求項６において、前記識別符号は、通し番号であることを特徴とする。
【発明の効果】
【００１３】
請求項１の発明によれば、ジョブが分割された場合、分割されたジョブ毎に異なるファイル名が作成されるため、同じファイル名が付与されるのを防止できる効果を奏する。
請求項２の発明によれば、一連の読取動作開始前に行われたジョブ分割指定に基づいて、分割されたジョブ毎に異なるファイル名が作成されるため、同じファイル名が付与されるのを防止できる効果を奏する。
【００１４】
請求項３の発明によれば、一連の読取動作中に行われたジョブ分割指定に基づいて、ジョブ分割指定されたタイミングにて応じたページでジョブ分割を行った場合に、分割されたジョブ毎に異なるファイル名が作成されるため、同じファイル名が付与されるのを防止できる効果を奏する。
【００１５】
請求項４の発明によれば、ファイル名が入力されている場合には、該ファイル名に対してジョブ毎に異なる識別符号が付与されることにより異なるファイル名が作成されるため、同じファイル名が付与されるのを防止できる効果を奏する。
【００１６】
請求項５の発明によれば、一連の読取動作中にジョブ分割の指定がなされた場合、その指定タイミングに応じたページでジョブ分割が行われたジョブに対し、指定前のジョブに対して作成されたファイル名と共通部分を有し、且つ、一部が異なるようにファイル名が作成されることにより、同じファイル名が付与されるのを防止できる効果を奏する。
【００１７】
請求項６の発明によれば、ファイル名が入力されている場合や、ファイル名が入力されていない場合においても、ジョブ分割が行われたジョブ毎に異なる識別符号を付与されることにより、同じファイル名が付与されるのを防止できる効果を奏する。
【００１８】
請求項７の発明によれば、ファイル名が入力されていない場合、予め設定されたルールに従った共通部分の作成が日時情報に基づいて行われ、且つ、ジョブ分割が行われたジョブ毎に異なるファイル名が作成されることにより、同じファイル名が付与されるのを防止できる効果を奏する。
【００１９】
請求項８の発明によれば、異なるファイル名とする際、共通部分に対して通し番号を分割されたジョブに付与することにより、同じファイル名が付与されるのを防止できる効果を奏する。
【発明を実施するための最良の形態】
【００２０】
以下、本発明を、画像読取装置としてネットワークスキャンが可能なファクシミリ装置に具体化した一実施形態を、図１〜１４を参照して説明する。
図１に示すように、ファクシミリ装置１は、ＭＰＵ１０、ＲＯＭ２０、ＲＡＭ３０、クロック回路３５、読取部４０、記録部５０、操作部６０、表示部７０、画像メモリ８０、コーデック９０、モデム１００、ＮＣＵ１１０及びＬＡＮインターフェィス１２０から構成される。又、各部１０〜１２０はバス１３０を介してそれぞれ接続されている。
【００２１】
ＭＰＵ１０は、ファクシミリ装置１を構成する各部を制御する。ＲＯＭ２０は、ファクシミリ装置１を制御するためのプログラムを記憶する。ＲＡＭ３０は、ファクシミリ装置１に関する各種情報を記憶する。図８は本実施形態における図１のＲＡＭ３０内の送信予約テーブル３１の一例を示している。送信予約テーブル３１は、図８に示すように、以下の情報等が各通信ジョブ毎に格納されるとともに、操作部６０の操作に基づいて表示部７０に表示可能である。
【００２２】
通信ジョブファイル名は、通信のジョブを識別するためのファイル名である。ステータスは、再スケジュール待ち、即時送信待ち（回線が空いていれば即時に送信）、時刻指定送信などがある。発信元印字の欄は、ファクシミリのヘッダに記載する発信元印字のフォーマット名の欄である。応答通信種別は、時刻指定（時刻情報を含む）、Ｆコード送信、親展、中継、両面通信などの指定）等がある。相手先番号は、相手先（送信先）の電話番号である。メモリインデックス番号は、画像メモリ８０でのいわゆる索引用ファイル番号である。枚数は、送信される枚数である。
【００２３】
図９は、図１のＲＡＭ３０内の画像メモリ管理テーブル３２の一例を示す図である。画像メモリ管理テーブルにおいては、図９に示すように、メモリインデックス番号の各ページ番号毎に、読取画像データが格納された画像メモリ８の先頭アドレスが格納される。
【００２４】
クロック回路３５は、現在日時を計時し、ＭＰＵ１０からの要求信号に応じて、現在日時の情報をＭＰＵ１０に出力する。
図１に示すように、読取部４０は、原稿上の画像データを読み取って、白黒２値のイメージデータを出力する。また、読取部４０は、ＡＤＦ４１（Auto  Document  Ｆeeder）を備えている。ＡＤＦ４１は、原稿台に載置された複数の原稿を１枚ずつ自動的に搬送して、読取部４０にて読み取らせる。本実施形態のＡＤＦ４１は、原稿の片面読取と、原稿の両面読取が可能な公知の構成を備えており、片面読取と両面読取は、後述する操作部６０の設定キー６６のモード選択により、いずれかの作動が設定可能である。又、読取部４０は、原稿載置板（図示しない）上に載置された静止原稿を読み取るＦＢＳ４２（フラットベッドスキャナ）を備えている。読取部４０、ＡＤＦ４１、ＦＢＳ４２により原稿の画像データを読み取る原稿読取手段が構成されている。
【００２５】
そして、ＡＤＦ４１には、原稿が原稿台に載置されたことを検出するための原稿有無センサ４１ａが配設されている。この原稿有無センサ４１ａは、原稿の有無に応じて検出信号をＭＰＵ１０に出力する。一方、ＦＢＳ４２には、カバーの開閉状態を検出するためのカバー開閉センサ４２ａが配設されている。このカバー開閉センサ４２ａは、カバーの開閉状態に応じて検出信号をＭＰＵ１０に出力する。
【００２６】
記録部５０は、電子写真方式のプリンタよりなり、受信画像データや、コピー動作において読取部４０にて読み取られた原稿の読取画像データを、記録紙上に記録する。
操作部６０は、ＦＡＸモード又はコピーモードに設定するためのＦＡＸ／コピーキー６１、短縮番号の登録又は短縮番号から発信するための短縮キー６２、予め登録したＦＡＸ番号をワンタッチで指定するためのワンタッチキー６３を備えている。又、操作部６０は、電話番号又はコピー部数等を入力するためのテンキー（＊，＃キーを含む）６４、原稿の読み取り動作を開始させるためのスタートキー６５、設定キー６６、タッチパネル６７、英文字等を入力するための文字キー６８等の各種操作キーを備えている。テンキー６４、文字キー６８は、ファイル名入力手段に相当する。
【００２７】
表示手段としての表示部７０は、ＬＣＤ等よりなり、ファクシミリ装置１の動作状態等の各種情報の表示を行う。表示部７０は、表示画面１４０（図１０〜１３参照）においてキー画像を表示可能とされている。そして、表示部７０は、表面に公知のタッチパネル６７が設けられている。タッチパネル６７は、前記表示画面１４０上に重ねられてキー画像を透視させるとともにユーザによるキーの押下操作を検出する検知領域を当該キー画像に対応して有している。表示されたキー画像に対応する検知領域が、キーの押下操作を検出すると、ＭＰＵ１０は、そのときに表示していたキー画像に対応するキー入力があったことを検知する。
【００２８】
又、設定キー６６のモード選択操作により、ＡＤＦ４１を使用した片面読取と両面読取のいずれかのモード選択が可能である。
画像メモリ８０は、ＤＲＡＭ等で構成され、受信画像データや読取部４０で読み取られた読取画像データを一時的に記憶する。コーデック９０は、読取部４０にて読み取られた読取画像データを送信のためにＭＨ，ＭＲ，ＭＭＲ方式等により符号化（エンコード）する。また、コーデック９０は、受信画像データを復号（デコード）する。
【００２９】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌ１との接続を制御するとともに、相手先の電話番号（ＦＡＸ番号を含む）に対応したダイヤル信号の送出及び着信を検出するための機能を備えている。ＬＡＮ  Ｉ／Ｆ（インターフェィス）１２０は、ＬＡＮ（ローカルエリアネットワーク）Ｌ２との接続用インターフェィスであり、ファクシミリ装置１は、このＬＡＮ  Ｉ／Ｆ１２０を介してＬＡＮ  Ｌ２経由で、電子メールの送受信等を行う。そして、ファクシミリ装置１は、ＬＡＮ  Ｉ／Ｆ１２０を介してＬＡＮ  Ｌ２経由で、図示しない複数のネットワーク端末と共有可能とされている。
【００３０】
（実施形態の作用）
次に、ファクシミリ装置１がＦＡＸの際に行われるジョブ分割の動作について、図２、図３に示すフローチャートを用いて説明する。なお、この動作は、原稿有無センサ４１ａから検出信号の入力（原稿検出）があったとき、ＲＯＭ２０に記憶されたプログラムに基づき、ＭＰＵ１０の制御により実行される。又、下記のスタートキー６５を操作する前に、操作部６０を用いて、ステータス、発信元印字、応答通信種別、相手先番号、通信モードの通信条件等を入力しているものとする。なお、通信ジョブファイル名（以下、単にファイル名という）については、操作部６０にて入力される場合と、入力されない場合もある。これらの情報（ファイル名が入力されている場合には、ファイル名も含む）は、ＲＡＭ３０の、作業記憶領域に格納される。なお、ファイル名として許容される文字入力の最大桁数は、本実施形態では１６桁とされているが、この桁数に限定されるものではない。
【００３１】
（Ｓ１０）
スタートキー６５が操作されると、Ｓ１０において、ＡＤＦ４１により原稿が搬送され読取部４０にて、読取が開始される。
【００３２】
（Ｓ２０）
Ｓ２０では、画像メモリ８０の１つのジョブ記憶領域がオープンされる。
（Ｓ３０）
Ｓ３０では、Ｓ２０でオープンされたジョブ記憶領域の中で、ページ記憶領域がオープンされる。すなわち、該領域に対して、読取部４０にて原稿が読み取りされて生成された読取画像データの記憶が開始される。
【００３３】
（Ｓ４０）
Ｓ４０では、１ページ分の原稿の読取終了が完了されたか否かが判定される。この判定は、ＡＤＦ４１に設けられた公知の原稿後端検出センサ（図示しない）の検出に基づいて行われる。
【００３４】
（Ｓ５０）
１ページ分の読取が完了された場合は、Ｓ５０に移行して、ページ記憶領域のクローズ処理が行われ、Ｓ６０に移行する。
【００３５】
（Ｓ６０）
次のＳ６０では、ＭＰＵ１０は、次ページの有無の判定を行う。
次ページの有無の判定は、下記の条件を満足しているか否かによって行われる。
【００３６】
（１．  片面読取モード）
片面読取モードの場合には、Ｓ６０では、原稿有無センサ４１ａの原稿検出がある場合、或いは、原稿有無センサ４１ａの原稿検出がなく、かつ、次ページフラグがセットされている場合には、「次ページ有り」と判定され、そうでない場合には、「次ページなし」と判定される。なお、次ページフラグのセット，リセットの仕方については後述する。
【００３７】
（２．  両面読取モード）
両面読取モードの場合には、下記の（１）〜（３）により、次ページの有無の判定が行われる。
【００３８】
（１）裏フラグがセットされているときは、「次ページ有り」と判定される。
裏フラグは、両面読取モードにおいて使用されるフラグである。両面読取モードの場合、裏フラグは、Ｓ５０において、ページ記憶領域のクローズ処理と併せて裏フラグの反転処理が行われる。すなわち、Ｓ５０の処理前において、裏フラグがセットされていたときは、Ｓ５０では、リセットされる。又、Ｓ５０の処理前において、裏フラグがリセットされていたときには、Ｓ５０においてセットされる。なお、最初の原稿の表面の読取時には、Ｓ５０の処理に入る前は、裏フラグがリセットされた状態とされており、Ｓ５０で裏フラグがセットされるようにされている。このようにすることにより、Ｓ４０において、原稿の表面の読取が終了された場合、両面読取モードではさらにこの原稿の裏面の読取の必要があることから、裏フラグがセットされるのである。
【００３９】
（２）  裏フラグがリセットされ、かつ、原稿有無センサ４１ａの原稿検出がされているとき、「次ページ有り」と判定される。
この場合、裏フラグがリセットされていることは、現在は裏面の読取が終了したことを意味し、かつ、原稿有無センサ４１ａの原稿検出がされていることは、原稿が原稿台にセットされていることを意味しているため、「次ページ有り」と判定されるのである。
【００４０】
（３）  裏フラグがリセットされ、原稿有無センサ４１ａの原稿検出がなく、かつ、次ページフラグがセットされているときは、「次ページ有り」と判定される。
この場合、裏フラグがリセットされていることは、現在は裏面の読取が終了したことを意味し、かつ、原稿有無センサ４１ａの原稿検出がされていないことは、原稿が原稿台にセットされていないことを意味している。しかし、原稿は原稿台にはセットされていないが、次ページフラグがセットされているため、ユーザにより、次原稿をセットする用意があることを意味している。
【００４１】
（３．その他）
原稿有無センサ４１ａが一時的に原稿無しを検出し、該原稿無しの検出から所定時間以内に、原稿ありを検出し(すなわち、続きの原稿がセットされたとき)、且つ、ユーザによる中間読取開始指示操作（例えばスタートキーによる操作）があった場合、セットされた原稿について、それまでと同じ一連の読取動作の継続が可能である。この場合、Ｓ６０では、次ページ有りとされる。
【００４２】
上記以外の場合は、Ｓ６０では、「次ページがない」として判定「ＮＯ」とされる。
（Ｓ７０）
Ｓ６０において、「次ページがない」と判定された場合、すなわち、原稿有無センサ４１ａの原稿検出無し状態が所定時間継続(タイムアップ)すると、一連の読取動作を終了すべく、Ｓ７０ではジョブ記憶領域のクローズが行われることにより、ジョブのファイルが作成され、読取が終了される。このＳ７０において、ジョブのファイル名の生成については後述する。又、上述したようなタイムアップした場合だけでなく、ユーザが積極的に読取終了指示を操作した場合にも、一連の読取動作が終了したと判断することができる。
【００４３】
図３は、Ｓ７０のクローズ処理中の、ファイル名生成のフローチャートである。
（Ｓ１００）
Ｓ１００では、ＭＰＵ１０は、予め、スタートキー６５にて操作される前に、ファイル名が入力されているか、否かを判定する。入力されている場合には、ＭＰＵ１０はＳ１１０に移行し、入力されていない場合には、Ｓ１３０に移行する。
【００４４】
（Ｓ１３０）
Ｓ１３０において、ＭＰＵ１０はクロック回路３５に要求信号を出力して、クロック回路３５から、現在日時の情報（以下、日時情報という）を入力し、その現在日時の情報をファイル名とする。たとえば、現在日時が２００４年１月１５日１５時３０分２０秒であれば、２００４０１１５３０２０をファイル名とする（図５（ａ）参照）。なお、本実施形態では、日時情報として年月も現在日時の情報としているが、日時情報は必ずしも年及び月は必要ではなく、省略してもよい。
【００４５】
（Ｓ１１０））
次のＳ１１０では、ＭＰＵ１０は、ジョブ分割か否かを判定する。具体的には下記の場合に、ジョブ分割と判定する。
【００４６】
（１）片面読取モードにおいて、ページ分割キー１６０が押下されたとき。
（２）両面読取モードにおいて、ページ分割キー１９０又はシート分割キー２００が押下されたとき。
【００４７】
（３）任意分割において、新規文書指定キー２４０が押下されたとき。
なお、下記キーの詳細については後述するが、ページ分割キー１６０，ページ分割キー１９０、シート分割キー２００、新規文書指定キー２４０は、ジョブ分割指定手段に相当する。
【００４８】
上記（１）〜（３）のキーの操作がないときは、ジョブ分割はなかったとして、Ｓ１２０に移行する。又、（１）〜（３）のキーの操作があったときは、Ｓ１４０に移行する。
（Ｓ１４０）
Ｓ１４０では、既に入力されたファイル名がある場合は、その入力されたファイル名を共通部分とし、Ｓ１３０で、日時情報に基づいて生成されたファイル名の場合には、そのファイル名を共通部分として、そのファイル名の後に、ジョブ分割されたことを識別するための識別符号として、ジョブ分割順に通し番号を付与して新たなファイル名を作成する。なお、最初に分割されたジョブのファイルの場合には、そのジョブ分割時のファイル名に、例えば「０１」を付与する。ここで、ＭＰＵ１０は、ジョブ分割により発生したジョブ毎に異なる識別符号を付与する付与手段、及びジョブ分割により発生したジョブ毎に、異なるファイル名を作成する手段に相当する。なお、本実施形態では、識別符号を、ファイル名の後に付すようにしたが、これに限定するものではなく、ファイル名の先頭に付したり、中間に挿入したりしてもよい。
【００４９】
なお、本実施形態では、ファイル名として入力できる最大桁数は１６桁とされており、入力されたファイル名が１６桁となっている場合には、ジョブ分割があっても、識別符号を付与せず、Ｓ１２０に移行する。
【００５０】
図４（ａ）は、ファイル名「ＡＢＣＤＥＦ」が入力された場合を示し、この部分を共通部分としている。図４（ｂ）及び図４（ｃ）は、ジョブ分割されると、通し番号が前記ファイル名の下位の桁に付与されて新たなファイル名とした例を示している。
【００５１】
又、図５（ａ）は、ファイル名が入力されておらず、ファイル作成時の日時情報（２００４年１月１５日１５時３０分２０秒）に基づいてファイル名が生成された例である。図５（ｂ），（ｃ）は、ジョブ分割されると、通し番号が図５（ａ）のファイル名の最下位の桁に付与されて新たなファイル名とした例を示している。
【００５２】
本実施形態では、予めクロック回路３５にて、ファイル作成時の日時情報に基づいてファイル名を生成することが予め設定されたルールとなる。なお、予め設定されたルールは、これに限定するものではなく、予めＲＯＭ２０に多数のファイル名を記憶し、このファイル名を逐次使用することをルールとしたり、ランダム発生器を設けて、該ランダム発生器にてファイル名を生成し、生成されたファイル名を使用したりしてもよい。
【００５３】
図６（ａ）は、ファイル名が入力されておらず、ファイル作成時の日時情報（２００４年１月１５日１５時３０分２０秒）に基づいてファイル名が作成された例である。そして、図６（ｂ），（ｃ）は、図６（ａ）のファイル名が作成された場合に、任意分割でジョブ分割されたときの、識別符号の付与の例である。
【００５４】
ここでは、図６（ｂ）は、２００４年１月１５日１５時３０分２０秒に任意分割でジョブ分割された例であり、図６（ｃ）は２００４年１月１５日１５時３０分４０秒に任意分割でジョブ分割された例である。このように、ファイル名が入力されていないときに、任意分割が行われた場合には、日時情報に基づいて、識別符号がＳ１３０で生成されたファイル名の最下位の桁に付与される。
【００５５】
この図６（ｂ）、（ｃ）の例では、クロック回路３５が、タイマ手段に相当し、ＭＰＵ１０が日時情報に基づいて、識別符号を付与する付与手段に相当する。
なお、図６（ｂ）、（ｃ）は、ファイル名が入力されていない場合に、任意分割された例を示したが、ファイル名が入力されている場合に、任意分割されたジョブに対しては、そのファイル名を共通部分として、該ファイル名の先頭、中間或いは後の部分のいずれかに通し番号を付与するようにしてもよい。
【００５６】
（Ｓ１２０）
Ｓ１２０では、ＭＰＵ１０は、今回の１つの当該ジョブに関して、ＲＡＭ３０の作業記憶領域に記憶した各種情報（ジョブ分割と判定した場合には、ジョブ分割時の識別符号が付与されたファイル名を含む）を送信予約テーブル３１に追加する。
【００５７】
すなわち、ＭＰＵ１０は、予め、スタートキー６５にて操作される前に、送信予約テーブル３１にファイル名が、入力されている場合には、ＲＡＭ３０の作業記憶領域に格納されたファイル名、ステータス、発信元印字、応答通信種別、相手先番号、通信モードの通信条件等の各種情報を送信予約テーブル３１に追加する。
【００５８】
又、送信予約テーブル３１にファイル名が入力されていない場合には、前述したようにＳ１３０にて生成されたファイル名（ジョブ分割されていない場合）や、Ｓ１３０にて生成され、さらに識別符号が付与されたファイル名（ジョブ分割されている場合）が、送信予約テーブル３１に追加される。
【００５９】
又、ＭＰＵ１０は、今回の１つの当該ジョブにおける各ページ分が格納された読取画像データに関する情報（画像メモリ８０の各ページの先頭アドレス、ページ番号、メモリインデックス番号）を画像メモリ管理テーブル３２に追加して当該ジョブ登録処理を終了する。この場合、ＭＰＵ１０は、画像メモリ管理テーブル３２に追加した、その読取画像データに関するメモリインデックス番号を当該の送信予約テーブル３１にも追加する。
【００６０】
再び図２のフローチャートに戻って説明する。
（Ｓ８０）
次に、Ｓ６０において、「次ページ有り」と判定された場合、Ｓ８０では、ジョブ分割指定がされているか否かが判定される。このジョブ分割指定については、後述する。
【００６１】
ジョブ分割指定がされていない場合には、Ｓ３０に戻る。すなわち、Ｓ６０から、Ｓ８０を介してＳ３０に戻る場合は、以後、読み取られた読取画像データに関しては、前と同じジョブとして処理されることを意味する。一方、Ｓ８０において、ジョブ分割指定がされていると判定された場合には、Ｓ９０に移行する。
【００６２】
又、Ｓ８０において、読取完了キー２５０（図１３参照）のキー操作により任意分割をしないと判定された場合には、Ｓ７０に移行する。読取完了キー２５０については後述する。
【００６３】
（Ｓ９０）
Ｓ９０では、Ｓ７０と同様のジョブのクローズ処理が行われ、Ｓ２０に戻る。この場合、ジョブが分割されていると判定されているため、Ｓ６０から、Ｓ８０，Ｓ９０を介してＳ２０に戻る場合は、以後読み取られた読取画像データに関しては、新たなジョブとして処理されることを意味する。
【００６４】
なお、Ｓ９０を通過する毎に、ジョブ記憶領域のクローズが行われることにより、ジョブ分割により発生したジョブ毎にファイルが作成され、そのファイルに対してＳ７０で説明したファイル名の生成が同様に行われる。
【００６５】
（ジョブ分割指定）
ここで、ジョブ分割指定について説明する。ジョブ分割指定は、下記のように行われている。
【００６６】
（１）  片面読取のモードの場合
片面読取のモード設定は、図２で説明したスタートキー６５にて操作される前に、設定キー６６のモード選択のための押下により行われる。設定キー６６の操作により、図１０に示すように表示部７０の表示画面１４０に、ノーマルキー１５０と、ページ分割キー１６０のキー画像の表示がＭＰＵ１０の制御により行われる。そして、いずれかのキーの押下により、片面読取モードにおける「ノーマル」又は「ページ分割」が指定される。そして、ジョブ分割は、片面読取モードにおいては、「ページ分割」において行われる。すなわち、片面読取モードにおいてジョブ分割指定は、ページ分割キー１６０が押下されることにより、指定される。ここで、ページ分割は、原稿の表面の１ページ分を１つのジョブ単位とする分割である。
【００６７】
片面読取のモードにおけるページ分割の場合、１ページ毎にジョブ分割することとなるが、この１ページ毎が請求項２の「所定ページ毎」に相当する。なお、本実施形態では、「所定ページ毎」とは、１ページ毎としているが、この数に限定されるものではない。又、ページ分割キー１６０の操作は、一連の読取動作開始前にジョブ分割指定を行うことに相当する。
【００６８】
従って、片面読取のモードに設定され、ページ分割キー１６０によるページ分割指定が行われている場合には、Ｓ８０で「ＹＥＳ」と判定される。
（２）  両面読取モードの場合
両面読取のモード設定は、図２で説明したスタートキー６５にて操作される前に、設定キー６６のモード選択のための押下により行われる。設定キー６６の操作により、図１１に示すように表示画面１４０に、ノーマルキー１８０と、ページ分割キー１９０、及びシート分割キー２００のキー画像の表示がＭＰＵ１０の制御により行われる。そして、いずれかのキーの押下により、両面読取モードにおける「ノーマル」、「ページ分割」又は「シート分割」が指定される。そして、ジョブ分割は、両面読取モードにおいては、「ページ分割」及び「シート分割」において行われる。すなわち、両面読取モードにおいてジョブ分割指定は、ページ分割キー１９０又はシート分割キー２００が押下されることにより、指定される。シート分割とは、原稿の表面及び裏面の２ページ分を１つのジョブ単位とする分割である。
【００６９】
両面読取のモードにおけるページ分割の場合、１ページ毎又はシート毎（原稿の表裏併せて２ページ毎）にジョブ分割することとなるが、この１ページ毎又は、シート毎が請求項２の「所定ページ毎」に相当する。なお、本実施形態では、両面読取のモードにおけるページ分割の場合、「所定ページ毎」とは、１ページ毎又は２ページ毎としているが、この数に限定されるものではない。又、ページ分割キー１９０，シート分割キー２００に対する操作は、一連の読取動作開始前にジョブ分割指定を行うことに相当する。
【００７０】
従って、両面読取のモードに設定され、ページ分割キー１９０、又はシート分割キー２００による分割指定が行われている場合には、Ｓ８０で「ＹＥＳ」と判定される。
（３）  任意分割の場合
任意分割は、片面読取モード及び両面読取モードのいずれであっても、ＡＤＦ４１及び読取部４０にて原稿読取が行われている際、下記の操作をユーザが行った場合に指定される。
【００７１】
図１２は、原稿がＡＤＦ４１を使用して読取部４０にて読み取られている際の表示画面１４０を示している。表示画面１４０中には、「読取中」の表示と、［あり］キー２１０及び［なし］キー２２０のキー画像の表示がＭＰＵ１０の制御により行われる。両キーは、原稿台にセットされている原稿以外に次原稿が有るか否かを指定する場合に操作される。このような表示がされている際、［あり］キー２１０が押下されると、この押下に基づいてＭＰＵ１０は、［あり］キー２１０が操作されたことを示す次ページフラグをセットする割り込み処理を行う。
【００７２】
又、［なし］キー２２０が押下されると、この押下に基づいてＭＰＵ１０は、［なし］キー２２０が操作されたことを示すために次ページフラグをリセットする割り込み処理を行う。そして、この次ページフラグは前述したようにＳ６０の次ページの有無の判定に使用される。
【００７３】
そして、次ページフラグがセットされて、Ｓ６０からＳ８０に移行した場合には、Ｓ８０では、ＭＰＵ１０の制御により、図１３に示すように表示画面１４０に、「次の原稿をセットください」等の表示が行われるとともに、読取開始キー２３０、新規文書指定キー２４０、及び読取完了キー２５０のキー画像の表示の割り込み処理が行われる。
【００７４】
ここで、読取開始キー２３０が押下されると、引き続き、前のページと同じジョブとして、前記表示の割り込み処理が終了されてＳ３０に移行され、読取が開始される。
一方、新規文書指定キー２４０が押下されると、前のページとは異なる新しいジョブであるとして、前記表示の割り込み処理が終了されてＳ９０に移行された後、新たにセットされた原稿の読取が開始される。この新規文書指定キー２４０の押下が、ジョブ分割指定となる。この新規文書指定キー２４０の押下により、ジョブ分割指定されたタイミングに応じたページでジョブ分割が行われることになる。
【００７５】
なお、Ｓ８０において、読取完了キー２５０が、押下された場合には、Ｓ７０に移行する。ここで、新規文書指定キー２４０の操作は、一連の読取動作中のジョブ指定を行うことに相当する。
【００７６】
次に、ジョブ数のカウントの例を図７、及び図１４を参照して説明する。
図７及び図１４では、片面読取モードでノーマルキー１５０、ページ分割キー１６０が押下された場合、及び両面読取モードでノーマルキー１８０、ページ分割キー１９０、シート分割キー２００が押下された場合の「Ｔｏｔａｌ」、「Ｊｏｂ」、「Ｐａｇｅ」、「シート」、「表裏」を示している。
【００７７】
片面読取モードの例では原稿を３０枚とし、両面読取モードでは、原稿を１５枚としている。片面読取モードの「Ｔｏｔａｌ」の欄は、原稿３０枚を順にカウントした場合に付される番号である。又、両面読取モードの「Ｔｏｔａｌ」の欄は、原稿の表裏をそれぞれ１つとして１５枚の原稿を順にカウントした場合に付される番号である。「Ｊｏｂ」の欄は、読み取られた原稿の当該ページが、どのジョブに属するかを示したジョブ番号である。図７の「Ｊｏｂ」の欄において、例えば「Ｎ（＝１〜３０）」は、Ｎ番目のジョブであることを示し、「Ｎ」が記載された原稿の該当ページは、Ｎ番目のジョブに属していることを意味している。「Ｐａｇｅ」の欄は、読み取られた原稿の当該ページが、属するジョブにおいては、何ページ目となるかを示している。
【００７８】
両面読取モードにおいて、「シート」の欄は、１つの原稿を単位として付されるシート番号である。従って、共通の原稿の表裏面にそれぞれ同じシート番号が付されている。
「表裏」の欄は、原稿の表を「０」とし、裏を「１」としたものである。本実施形態では、前述した裏フラグと対応している。すなわち、裏フラグが「１」の場合をセットといい、「０」の場合をリセットとしている。
【００７９】
（片面読取モードの「ノーマル」）
図７の片面読取モードの「ノーマル」の例では、図２のフローチャートにおいて、Ｓ１０〜Ｓ６０→Ｓ８０→Ｓ３０の処理が行われるが、この場合、Ｓ３０〜Ｓ６０→Ｓ８０→Ｓ３０の処理が各原稿の片面を読み取る毎に行われ、最終的にＳ７０を経て、終了される。この場合には、３０枚の原稿を読み取りした場合のジョブ数は、１となる。
【００８０】
（片面読取モードの「ページ分割」）
図７の片面読取モードの「ページ分割」の例では、図２のフローチャートにおいて、Ｓ１０〜Ｓ７０の処理が１枚の原稿の片面を読み取る毎に行われる。従って、この場合には、原稿の枚数分のジョブ数が３０となる。
【００８１】
（両面読取モードの「ノーマル」）
図７の両面読取モードの「ノーマル」の例では、図２のフローチャートにおいて、Ｓ１０、Ｓ２０の後、各原稿毎にＳ３０〜Ｓ６０→Ｓ８０→Ｓ３０〜Ｓ６０の処理が行われる。そして、最終的にＳ７０を経て、終了される。そして、１５枚の原稿を読み取りした場合のジョブ数は、１となる。
【００８２】
（両面読取モードの「ページ分割」）
図７の両面読取モードの「ページ分割」の例では、図２のフローチャートにおいて、１枚の原稿毎にその表面の読取の際には、Ｓ１０〜Ｓ６０，Ｓ８０，Ｓ９０の順にて処理が行われる。そして、この後の１枚の原稿の裏面の読取の際には、Ｓ２０〜Ｓ７０の順にて処理が行われる。この場合は、１原稿当たり２のジョブ数となり、１５枚の原稿ではジョブ数が３０となる。
【００８３】
（両面読取モードの「シート分割」）
図７の両面読取モードの「シート分割」の例では、図２のフローチャートにおいて、１枚の原稿はその表面の読取の際には、Ｓ１０〜Ｓ６０，Ｓ８０にて処理される。そして、この後のその原稿の裏面の読取の際には、Ｓ３０〜Ｓ７０の順にて処理される。この場合は、１原稿当たり１のジョブ数となり、１５枚の原稿ではジョブ数が１５となる。
【００８４】
（片面読取モードのノーマルにおける任意分割）
図１４の片面読取モードの「ノーマル」の例においては、ノーマルの「Ｔｏｔａｌ」の欄において、「６」、「１１」、「１３」で上記「（３）  任意分割の場合」で説明したように、次ページフラグをセットする操作が行われると、任意ページの分割が行われる。この例では、ジョブ数は、４である。
【００８５】
（両面読取モードのノーマルにおける任意分割）
図１４の両面読取モードの「ノーマル」の例においては、ノーマルの「Ｔｏｔａｌ」の欄において、「７」で上記「（３）  任意分割の場合」で説明したように、次ページフラグをセットする操作が行われると、任意の原稿（シート）から分割が行われる。この例では、ジョブ数は２である。
【００８６】
なお、図１４において、片面読取モードの「ページ分割」、両面読取モードの「ページ分割」、「シート分割」は、図７の例と同様である。
さて、上記のように構成された本実施形態のファクシミリ装置１は、下記の特徴がある。
【００８７】
（１）ファイル名が入力されている場合、ジョブ分割された際には、入力されているファイル名に識別符号として通し番号が付与された新たなファイル名が作成されるため、ジョブ分割された読取画像データのファイルの識別ができる。
【００８８】
（２）ファイル名が入力されていない場合、ジョブ分割された際には、ファイル名が自動的に生成されて、そのファイル名に識別符号が付与された新たなファイル名が作成される。この結果、ファイル名の入力がなくても、分割されたジョブのファイルの識別ができる。
【００８９】
（３）任意分割の場合においても、ファイル名が入力されていない場合、ジョブ分割された際には、ファイル名が自動的に生成されて、そのファイル名に識別符号が付与された新たなファイル名が作成される。この結果、ファイル名の入力がなくても、分割されたジョブのファイルの識別ができる。
【００９０】
なお、本発明の実施形態は以下のように変更してもよい。
○  前記実施形態では、ＡＤＦ４１にて原稿を搬送する場合で説明したが、ＦＢＳ４２で、原稿を読み取る場合においても、分割されたジョブのファイルの識別が可能である。
【００９１】
例えば、操作部６０にページ分割モードキーを設けて、該キーの入力により、ファクシミリ装置１をページ分割モードとしておく。そして、このモードにおいて、ＭＰＵ１０は、ＦＢＳ４２で１枚毎に原稿を読み取って生成された読取画像データのファイル作成時に、当該ファイルに対して、テンキー６４や文字キー６８にて予め入力しておいたファイル名に対して前記実施形態と同様に識別符号として通し番号を付与する。こうすると、分割されたジョブのファイルの識別ができる。
【００９２】
○  前記実施形態では、画像読取装置としてファクシミリ装置に具体化したが、複写機、及びスキャナーや、ファクシミリ装置との複合機に具体化してもよい。
○  前記実施形態では、Ｓ１４０において、ファイル名として入力できる最大桁数は１６桁とされており、入力されたファイル名が１６桁となっている場合には、ジョブ分割があっても、識別符号を付与せず、Ｓ１２０に移行した。これに代えて、最大桁数のうち、下位桁の部分を識別符号に入れ替えてもよい。例えば、識別符号として通し番号とする。
【００９３】
○  前記実施形態では、通信ジョブのジョブ分割としたが、印刷ジョブ等の他のジョブにおけるジョブ分割に具体化してもよい。
【図面の簡単な説明】
【００９４】
【図１】本発明を具体化した第１実施形態のファクシミリ装置の電気ブロック図。
【図２】同じくＭＰＵ１０が実行するジョブ分割のフローチャート。
【図３】同じくＭＰＵ１０が実行するジョブ分割のフローチャート。
【図４】（ａ）〜（ｃ）は、ファイル名の説明図。
【図５】（ａ）〜（ｃ）は、ファイル名の説明図。
【図６】（ａ）〜（ｃ）は、ファイル名の説明図。
【図７】片面読取、及び両面読取の場合のジョブ分割の説明図。
【図８】送信予約テーブル３１の説明図。
【図９】画像メモリ管理テーブル３２の説明図。
【図１０】片面読取モードに設定したとき表示画面１４０の平面図。
【図１１】両面読取モードに設定したとき表示画面１４０の平面図。
【図１２】原稿読取中の表示画面１４０の平面図。
【図１３】表示画面１４０の平面図。
【図１４】任意分割の場合の片面読取、及び両面読取の場合のジョブ分割の説明図。
【符号の説明】
【００９５】
１…ファクシミリ装置（画像読取装置）
１０…ＭＰＵ（異なるファイル名を作成する手段、ジョブ分割手段）
４０…読取部（ＡＤＦ４１，ＦＢＳ４２とともに原稿読取手段を構成する）
４１…ＡＤＦ
４２…ＦＢＳ
６４…テンキー（ファイル名入力手段）
６８…文字キー（ファイル名入力手段）
１６０…ページ分割キー（ジョブ分割指定手段）
１９０…ページ分割キー（ジョブ分割指定手段）
２００…シート分割キー（ジョブ分割指定手段）
２４０…新規文書指定キー（ジョブ分割指定手段）
【図１】
2005295389.tif 000003
【図２】
2005295389.tif 000004
【図３】
2005295389.tif 000005
【図４】
2005295389.tif 000006
【図５】
2005295389.tif 000007
【図６】
2005295389.tif 000008
【図７】
2005295389.tif 000009
【図８】
2005295389.tif 000010
【図９】
2005295389.tif 000011
【図１０】
2005295389.tif 000012
【図１１】
2005295389.tif 000013
【図１２】
2005295389.tif 000014
【図１３】
2005295389.tif 000015
【図１４】
2005295389.tif 000016